(57)【要約】      （修正有） 【課題】簡単に釣針を外す事ができ、外した釣針が再度引っかかる事がない釣り針外し具を提供する。【解決手段】外筒の上端に指掛け部を備え、外筒の下端に略半周切削いで開口部２ｃを形成したガイド部２と、外筒内に挿入するスライド棒の下端部に略半周切削いで切欠部を形成すると共に下端にスリット３ｅを設けて係止部３ｄを備え、スライド棒３ａの上端に押下部を備えた操作部３と、スライド棒を挿通し指掛け部２ｂと押下部３ｂの間に位置するスプリング４とからなり、ガイド部、操作部及びスプリングを組合わせ、開口部に切欠部を位置させた状態で、魚にかかった釣針の釣糸をスリットから係止部の内側に位置させ、係止部を釣糸に沿い釣針の位置へ下ろして釣針を係止部に掛け、押下部と指掛け部を近づける事で外筒の下端が魚の口内の壁面を押圧しながらスライドし、係止部が外筒の先端部の筒内に収納される時に釣針が魚の口から外れることを特徴とする。【選択図】図１
0003171622.tif 000002
【実用新案登録請求の範囲】
【請求項１】
魚の口から釣り針を外すための釣り針外し具であって、
筒状の外筒の上端に指を係止する指掛け部を備え、前記外筒の下端部に長手方向に略半周切り削いで開口部を形成した正面略Ｔ字状のガイド部と、前記指掛け部側から外筒内に挿入されるスライド棒の下端部に長手方向に略半周切り削いで切欠部を形成するとともに下端にスリットを設け釣り針を係止する係止部備え、前記スライド棒の上端に前記指掛け部に掛けた指の手のひらを押しつける押下部を備えた正面略Ｔ字状の操作部と、前記スライド棒を挿通し前記指掛け部と押下部の間に位置するスプリングとからなり、
前記ガイド部、操作部及びスプリングを組み合わせ、前記開口部に切欠部位置させた状態で、魚の口内に引っかかった釣り針に結ばれる釣り糸を前記スリットから通し、前記係止部の内側に位置させ、前記係止部を前記釣り糸に沿って前記釣り針の位置まで下ろして前記釣り針を前記係止部に掛け、前記押下部と指掛け部を近づけることにより前記外筒の下端が魚の口内の壁面を押圧しながらスライドし、前記係止部が前記外筒の先端部の筒内に収納される時に前記釣り針が魚の口内から外れることを特徴とする釣り針外し具。
【考案の詳細な説明】
【技術分野】
【０００１】
本考案は、魚釣りの際に魚の口内に係った釣り針を魚の口内から取り外すための釣り針外し具に関する。
【背景技術】
【０００２】
従来、魚の口内から釣り針を外すには、片手で魚の口を開くように持ち、他方の手で針の形状を考えて釣り針の方向を変えながら魚の口内から取り外していた。
【０００３】
しかしながら、上記のような方法は、魚に触れるのが平気で慣れた釣り人であれば、難なく行うことができるが、最近では魚自体に触ることができない釣り人も多く、また、魚が釣り針を奥まで飲み込んでしまっている場合もあるため、上記のような取り外し方法が必ずしも最適な方法とは言えなかった。
【０００４】
また、上記のように針を飲み込んでしまった時のために端部が鈎状になった細長い釣り針外し具が昔から利用されているが、この釣り針外し具は、釣り針に係止して釣り針を捻り返したりしながら取り外す道具で、針の様子が見えない程、魚の口の奥で釣り針が引っかかっている場合には何度も何度も針の方向を変えたりするため、釣り針を外し終える頃には釣り針が係っていた部分やその付近を傷だらけにしてしまうことがあり、飼育用として釣り上げたり、釣った後に生きたまま放す場合、内部が傷付いているためすぐに死んでしまうことがあった。
【０００５】
その他、様々な釣り針外し具が公開されているが、理論上釣り針を外すことが出来ても、実際には釣り針が外し具内で倒れてしまったり、魚の口から取り出すまでの間に釣り針が別の場所に引っかかってしまったり、魚の口から取り出すまでの間に引っかけることのない外し具であっても、構成が複雑で使い勝手が良いものは見あたらなかった。
【先行技術文献】
【特許文献】
【０００６】
【特許文献１】特開２００９−２７３４４７号公報
【考案の概要】
【考案が解決しようとする課題】
【０００７】
そこで、本考案は、魚に直接触れることなく、また魚を傷つける事なく簡単に釣り針を外すことができ、更に外した釣り針を魚の口内から取り出すまでの間に針が再度引っかかることがない釣り針外し具を提供する。
【課題を解決するための手段】
【０００８】
本考案は、上記の課題を解決するために、魚の口から釣り針を外すための釣り針外し具であって、筒状の外筒２ａの上端に指を係止する指掛け部２ｂを備え、前記外筒２ａの下端部に長手方向に略半周切り削いで開口部２ｃを形成した正面略Ｔ字状のガイド部２と、前記指掛け部２ｂ側から外筒２ａ内に挿入されるスライド棒３ａの下端部に長手方向に略半周切り削いで切欠部３ｃを形成するとともに下端にスリット３ｅを設け釣り針を係止する係止部３ｄ備え、前記スライド棒３ａの上端に前記指掛け部に掛けた指の手のひらを押しつける押下部３ｂを備えた正面略Ｔ字状の操作部３と、前記スライド棒３ａを挿通し前記指掛け部２ｂと押下部３ｂの間に位置するスプリング４とからなり、前記ガイド部２、操作部３及びスプリング４を組み合わせ、前記開口部２ｃに切欠部３ｃ位置させた状態で、魚の口内に引っかかった釣り針に結ばれる釣り糸を前記スリット３ｅから通し、前記係止部３ｄの内側に位置させ、前記係止部３ｄを前記釣り糸に沿って前記釣り針５ａの位置まで下ろして前記釣り針５ａを前記係止部３ｄに掛け、前記押下部３ｂと指掛け部２ｂを近づけることにより前記外筒２ａの下端が魚の口内の壁面を押圧しながらスライドし、前記係止部３ｄが前記外筒２ａの先端部の筒内に収納される時に前記釣り針５ａが魚の口内から外れることを特徴とする釣り針外し具の構成とした。
【考案の効果】
【０００９】
本考案は上記のような構成であるため、魚を無駄に傷つけることなく素早く簡単に釣り針を外すことができる。
【００１０】
また、釣り針を外した後に、魚の口から取り出すまでの間も釣り針が再度引っかかることがない。
【００１１】
更に、魚に直接触れることなく操作することもできるため、釣りは好きだが、魚には触りたくないというような釣り人でも釣り針を外すことが出来る。
【図面の簡単な説明】
【００１２】
【図１】本考案である釣り針外し具の正面図である。
【図２】本考案である釣り針外し具の側面図である。
【図３】本考案である釣り針外し具の分解図である。
【図４】本考案である釣り針外し具の縮めた状態の正面図である。
【図５】本考案である釣り針外し具のＡ−Ａ線断面図である。
【図６】本考案である釣り針外し具の使用手順を示した図である。
【図７】本考案である釣り針外し具の使用手順を示した図である。
【図８】本考案である釣り針外し具の使用手順を示した図である。
【図９】本考案である釣り針外し具の使用手順を示した図である。
【考案を実施するための形態】
【００１３】
以下、添付の図面を参照し、本考案の実施の形態について詳細に説明する。
【実施例１】
【００１４】
図１は本考案である釣り針外し具の正面図、図２は釣り針外し具の側面図、図３は釣り針外し具の分解図、図４は釣り針外し具の縮めた状態の正面図、図５は釣り針外し具のＡ−Ａ線断面図、図６から図９は釣り針外し具の使用手順を示した図である。
【００１５】
図１から図５に示すように、本考案である釣り針外し具１は、魚の口から釣り針を外すための釣り針外し具であって、筒状の外筒２ａの上端に指を係止する指掛け部２ｂを備え、前記外筒２ａの下端部に長手方向に略半周切り削いで開口部２ｃを形成した正面略Ｔ字状のガイド部２と、前記指掛け部２ｂ側から外筒２ａ内に挿入されるスライド棒３ａの下端部に長手方向に略半周切り削いで切欠部３ｃを形成するとともに下端にスリット３ｅを設け釣り針を係止する係止部３ｄ備え、前記スライド棒３ａの上端に前記指掛け部に掛けた指の手のひらを押しつける押下部３ｂを備えた正面略Ｔ字状の操作部３と、前記スライド棒３ａを挿通し前記指掛け部２ｂと押下部３ｂの間に位置するスプリング４とからなる。
【００１６】
前記外筒２ａは直径約１ｃｍ程度を予定しているが、特に限定したものではなく、魚の口の大きさや釣り針の大きさに合わせて、変更しても良い。また、前記外筒２ａの下端部に形成する開口部２ｃは外筒２ａの全長に対しておよそ３分の１程度の長さを予定しているが、開口部２ｃの全長についても、外筒２ａの全長が変更されればそれに伴い変更する。但し、前記開口部２ｃの全長はあまり長くなくても十分に本考案の効果を発揮することが出来る。
【００１７】
前記外筒２ａの上端に備えた指掛け部２ｂは肉厚な形状をしているのが好ましく、前記外筒２ａを中心として外筒２ａから両側に等しく突出しているが、この突出した部分の下面を上方に向かって緩やかに湾曲させることが好ましく、このような形状とすることで指を係止しやすくなる。但し、肉厚であることに限定してはおらず、平板状や細長い形状であってもよく、更に緩やかに湾曲させることにも限定してはおらず、指を掛けやすい形状であれば他の形状であっても構わない。
【００１８】
前記スライド棒３ａの外径は、前記外筒２ａの内径よりも小さく、即ち、前記スライド棒３ａが外筒２ａ内に挿通され、難なくスライドできる程度の外径であればよい。但し、スライド棒３ａの外径と外筒２ａの内径の差があまりに大きすぎると、器具として操作性が落ちるためスライド棒３ａの外径は外筒２ａの内径よりやや小さい程度に留めておくことが好ましい。但し、前記スライド棒３ａの全長は外筒２ａの全長よりも長くなければならない。
【００１９】
前記スライド棒３ａの先端に形成する切欠部３ｃの全長は前記開口部２ｃの半分程度あればよい。
【００２０】
また、前記切欠部３ｃの更に先端に設けた係止部３ｄは弧状をしており、前記切欠部３ｃで略半円切り落とした後に残ったスライド棒３ａ先端の略半円部分と弧状の前記係止部３ｄにより形成される略円形の直径は、前記スライド棒３ａの直径と等しいことが好ましい。但し、等しいことに限定したものではなく、前記外筒２ａの内径よりも小さければよい。
【００２１】
また、前記係止部３ｄの下面、即ちスライド棒３ａの先端部側の面は先端部とは反対方向に向かって緩やかに湾曲しており、中央に凹部３ｆが形成されている。魚の口内に引っかかった釣り針を前記係止部３ｄに掛けると、前述の湾曲に従って釣り針が係止部３ｄの中央に滑り、最後に前記凹部３ｆに掛かり固定される。
【００２２】
前記スライド棒３ａの上端に備えた押下部３ｂは肉厚な形状をしているのが好ましく、前記スライド棒３ａを中心としてスライド棒３ａから両側に等しく突出している。また、押下部３ｂの上面から両端にかけては緩やかにカーブした形状をしているのが好ましい。但し、押下部３ｂが肉厚であること及び上面から両端にかけて緩やかにカーブしていることに限定したものではない。押下部３ｂを手のひらに当てやすく、操作しやすい形状であれば他の形状であってもよい。
【００２３】
図１から図４に示すように、前記ガイド部２と操作部３は、前記スライド棒３ａを外筒２ａ内にスライド可能に挿通することにより連結されており、前記スライド棒３ａは更にスプリング４に挿通されている。即ち、前記スライド棒３ａはまずスプリング４に挿通され、その後で外筒２ａに挿通され、前記スプリング４が前記押下部３ｂと指掛け部２ｂの間に位置している。
【００２４】
また、前記指掛け部２ｂの正面中央から背面に向かってノックピン２ｄが挿通固定され、更に前記スライド棒３ａの中央より上部にはガイド孔３ｇが穿設されており、前記ノックピン２ｄは前記ガイド孔３ｇ内を貫通している。
【００２５】
従って、前記スライド棒３ａはノックピン２ｄがガイド孔３ｇ内を移動できる分だけ上下にスライドすることが出来る。
【００２６】
図１に示すように、前記操作部３とガイド部２が組み立てられて操作部３を動かしていない状態では、前記スライド棒３ａの先端に形成した切欠部３ｃは前記外筒２ａの開口部２ｃに位置しており、ちょうど係止部３ｄが開口部２ｃの中央付近に位置している。
【００２７】
そして、押下部３ｂと指掛け部２ｂを近づけると、図４に示すように前記切欠部３ｃは開口部２ｃ内を下方に移動し、前記係止部３ｄが外筒２ａの先端の筒内に隠れる。
【００２８】
次に図６から図９を利用して、本考案である釣り針外し具１の使用方法を説明する事とする。
【００２９】
まず図６に示すように、前記ガイド部２、操作部３及びスプリング４を組み合わせ、前記開口部２ｃに切欠部３ｃ位置させた状態で、魚６の口内に引っかかった釣り針５ａに結ばれる釣り糸５を前記スリット３ｅから通し、前記係止部３ｄの内側に位置させる。
【００３０】
次に図７に示すように、前記係止部３ｄを前記釣り糸５に沿って前記釣り針５ａの位置まで下ろして前記釣り針５ａを前記係止部３ｄに掛ける。尚、前記釣り針５ａは係止部３ｄの湾曲を滑り凹部３ｆで固定される。前記釣り針５ａが係止部３ｄに係った状態となっているので、図７のＢ部拡大に示すように、外筒２ａの先端部は魚６の口内に位置している。また、釣り針５ａのチモト（鉤元）からジク（軸）にかけた部分が、スライド棒３ａの内壁に接触するため、釣り針５ａ自体がスライド棒３ａ内で倒れることがない。
【００３１】
次に、図８及び図９（Ｄ）に示すように、前記押下部３ｂと指掛け部２ｂを近づけることにより前記外筒２ａの下端が魚の口内の壁面６ａを押圧しながらスライドし、最後に図９（Ｅ）に示すように、前記係止部３ｄが前記外筒２ａの先端部の筒内に収納される時に前記釣り針５ａが魚の口内から外れる。
【００３２】
釣り針５ａが外筒２ａの先端の筒内に収納された状態では、釣り針５ａ自体が本考案である釣り針外し具１内に位置しているため、その状態を維持しながら釣り針外し具１を魚の口から抜き出せば、釣り針５ａが魚の口内の別の場所に引っかかるというような心配はない。
【００３３】
以上のように、本考案である釣り針外し具を使用すると、筒体２ａの先端部が魚の口内の壁面を釣り針５ａの形状に添って押圧してゆくため、無理に釣り針を外して魚の口内の壁面を無駄に傷つけることはなく、また、釣り針を取り外すまでの時間も大幅に短縮できるため、釣った魚へのダメージが少なく済み、釣り上げた魚を飼育する場合は従来よりも元気な状態で飼育することができ、元の水中に放つ（リリースする）場合は元気なまま逃がすことができる。
【産業上の利用可能性】
【００３４】
本考案である釣り針外し具は、短時間で簡単に魚を無駄に傷つけることなく釣り針を外すことが出来るため、魚釣りや魚に関する多くの領域に多大な貢献をもたらす。
【符号の説明】
【００３５】
１      釣り針外し具
２      ガイド部
２ａ    外筒
２ｂ    指掛け部
２ｃ    開口部
２ｄ    ノックピン
３      操作部
３ａ    スライド棒
３ｂ    押下部
３ｃ    切欠部
３ｄ    係止部
３ｅ    スリット
３ｆ    凹部
３ｇ    ガイド孔
４      スプリング
５      釣り糸
５ａ    釣り針
６      魚
６ａ    魚の口の内壁
【図１】
0003171622.tif 000003
【図２】
0003171622.tif 000004
【図３】
0003171622.tif 000005
【図４】
0003171622.tif 000006
【図５】
0003171622.tif 000007
【図６】
0003171622.tif 000008
【図７】
0003171622.tif 000009
【図８】
0003171622.tif 000010
【図９】
0003171622.tif 000011